(57)【特許請求の範囲】
【請求項１】
データ圧縮したビデオデータと、前記ビデオデータの低周波成分による特殊再生用データとが斜め記録された磁気テープを再生するビデオテープレコーダにおいて、
磁気ヘッドより得られる再生信号を信号処理して再生データを生成する再生信号処理回路と、
前記再生データより、前記データ圧縮したビデオデータを分離するビデオデータのデータ分離回路と、
前記ビデオデータのデータ分離回路から出力されるビデオデータをデータ伸長して輝度データ及び色差データの連続によるビデオデータを出力するデータ伸長回路と、
前記再生データより、前記特殊再生用データを分離する特殊再生用データのデータ分離回路と、
前記特殊再生用データのデータ分離回路で分離された前記特殊再生用データから、輝度データ及び色差データの連続による特殊再生によるビデオデータを生成するベースバンド化回路と、
前記データ伸長回路、前記ベースバンド化回路から出力される前記ビデオデータ、前記特殊再生によるビデオデータを選択的に出力する第１の選択回路と、
前記ベースバンド化回路から出力される前記ビデオデータをデータ圧縮して出力するエンコーダと、
前記ビデオデータのデータ分離回路から出力されるビデオデータと、前記エンコーダの出力データとを選択的に出力する第２の選択回路とを備え、
少なくとも前記再生信号処理回路、前記ビデオデータのデータ分離回路、前記特殊再生用データのデータ分離回路、前記エンコーダ、前記第２の選択回路が集積回路化された
ことを特徴とするビデオテープレコーダ。
【請求項２】
前記データ圧縮したビデオデータが、直交変換によりデータ圧縮されたビデオデータであり、
前記特殊再生用データは、
フレーム内符号化処理の前記直交変換における係数データのうちの、低次の係数データにより生成された
ことを特徴とする請求項１に記載のビデオテープレコーダ。
【請求項３】
前記データ圧縮したビデオデータが、ＭＰＥＧによりデータ圧縮されたビデオデータであり、
前記特殊再生用データは、
前記ビデオデータのＩピクチャーにおけるＤＣＴ係数のうちの、ＤＣ係数により生成された
ことを特徴とする請求項１に記載のビデオテープレコーダ。
【請求項４】
前記特殊再生用データのデータ分離回路は、
前記特殊再生用データをシリアルデータにより前記ベースバンド化回路に伝送する
ことを特徴とする請求項１に記載のビデオテープレコーダ。
【請求項５】
前記特殊再生用データのデータ分離回路は、
前記特殊再生用データをデータ圧縮して前記ベースバンド化回路に伝送する
ことを特徴とする請求項１に記載のビデオテープレコーダ。
【発明の詳細な説明】
【０００１】
【発明の属する技術分野】
本発明は、ビデオテープレコーダに関し、例えばＭＰＥＧによるＩピクチャーのＤＣＴ係数からＤＣ係数を抽出して特殊再生用に磁気テープに記録する方式に適用することができる。本発明は、データ圧縮したビデオデータと、このビデオデータの低周波成分による特殊再生用データとを記録した磁気テープを再生する際に、データ圧縮したビデオデータによる再生結果と、特殊再生用データによる再生結果とを、ベースバンド処理の段階で選択することにより、通常の再生と特殊再生との切り換え等におけるタイミング制御を簡略化することができ、さらには特殊再生時においても操作の切り換えに対して十分な応答速度を確保することができるようにする。
【０００２】
【従来の技術】
従来、ビデオテープレコーダにおいては、データ圧縮してなるビデオデータに、このビデオデータの低周波成分による特殊再生用データを介挿して記録する方法が提案されるようになされている。
【０００３】
これらの手法においては、例えば３２倍速、１６倍速等の特殊再生における磁気ヘッドの走査軌跡に対応させて、これら特殊再生用データをビデオデータに介挿して記録するようになされ、これにより早送り再生、巻き戻し再生等の特殊再生において、この特殊再生用データを利用して高品位の再生画像を提供することができるようになされている。
【０００４】
特開２００１−２９８７０６号公報、特開２００１−２９８７３７号公報においては、画像データのＤＣ成分をこの特殊再生用データに適用する方法が提案されており、その実施の形態において、ＭＰＥＧ（Moving Picture Experts Group）によりデータ圧縮したビデオデータ（以下、ＭＰＥＧデータと呼ぶ）を記録再生するビデオテープレコーダが具体的構成として記載されるようになされている。このビデオテープレコーダにおいては、ＭＰＥＧによるＩピクチャーのＤＣＴ係数のうちの、ＤＣ係数をこのような特殊再生用データとして採用するようになされている。
【０００５】
【発明が解決しようとする課題】
ところでこの種のビデオテープレコーダを実際に製造する場合、このビデオテープレコーダに特有な構成については集積回路を開発し、他の映像機器と共通する構成については、これら各種映像機器に既に利用されている集積回路を流用することが考えられる。
【０００６】
例えば特開２００１−２９８７３７号公報に開示の構成においては、記録に供するデータとしてＭＰＥＧによりデータ圧縮されたビデオデータを適用し、ＭＰＥＧによるＩピクチャーのＤＣＴ係数のうちの、ＤＣ係数をこのような特殊再生用データとして採用することにより、この構成のビデオテープレコーダを実際に製造する場合、ＭＰＥＧによりデータ圧縮されたビデオデータから特殊再生用データを生成し、ビデオデータ等と多重化する記録系の構成、この記録系に対応する再生系の構成を集積回路化することが考えられる。またこの集積回路の周辺回路においては、汎用のＭＰＥＧエンコーダ等による集積回路を適用することが考えられる。
【０００７】
図６は、このような構成に係るビデオテープレコーダの再生系を示すブロック図である。このビデオテープレコーダ１は、磁気テープ２から得られる再生信号ＲＦよりＭＰＥＧによるビデオデータを出力するまでの回路ブロックが集積回路３により構成され、この集積回路３の出力データを同様の集積回路によるデコーダ４、ベースバンド処理回路５で順次処理する。
【０００８】
すなわちビデオテープレコーダ１においては、回転ドラムに配置した磁気ヘッドにより得られる再生信号ＲＦを集積回路３に入力する。ここで集積回路３において、再生フォーマット回路７は、この再生信号ＲＦを増幅した後、ビタビ復号等により２値識別等して再生データを出力する。再生フォーマット回路７は、記録時のフォーマットに対応する処理によりこの再生データを処理し、ビデオデータ、特殊再生用データ、オーディオデータ等による時分割多重化データを出力する。
【０００９】
データ分離回路８は、この時分割多重化データからオーディオデータ、シンクデータ等による制御信号等を分離して出力し、このビデオテープレコーダ１においては、このオーディオデータを各種オーディオ機器で利用されている集積回路により処理する。これによりビデオテープレコーダ１では、再生したオーディオデータを種々に利用することができる。なおシンクデータ等については、別途、図示しない信号処理回路に出力されて、このビデオテープレコーダ１の動作基準等に利用する。
【００１０】
データ分離回路９、１０は、それぞれ時分割多重化データよりビデオデータ、特殊再生用データＤＦを分離して出力する。ここで上述した特開２００１−２９８７３７号公報に開示の構成においては、特殊再生時における磁気ヘッドの走査軌跡に対応するように、ビデオデータに特殊再生用データが介挿されて記録されることにより、多重化データにおいては、通常の再生時、この記録時に対応するタイミングでビデオデータに特殊再生用データが介挿されて再生されるのに対し、特殊再生時においては、特殊再生用データが殆どを占めるようになる。
【００１１】
これによりデータ分離回路９は、この場合、ＭＰＥＧによりデータ圧縮されたビデオデータを出力する。ベースバンド化回路１１は、特殊再生時、記録時の処理に対応して、データ分離回路１０から出力される特殊再生用データを処理することにより、特殊再生用のビデオデータを出力する。
【００１２】
エンコーダ１２は、この特殊再生用のビデオデータを、データ分離回路９から出力されるビデオデータのフォーマットに変換し、ここでは特殊再生用のビデオデータをＭＰＥＧのフォーマットによりデータ圧縮して出力する。
【００１３】
選択回路１３は、このデータ分離回路１０から出力されるビデオデータ、エンコーダ１２から出力されるビデオデータを、このビデオデータの再生モードに応じて選択的に出力する。これにより集積回路３においては、このビデオテープレコーダ１の再生モードに応じたビデオ信号を再生信号ＲＦから再生して出力することができる。
【００１４】
従ってビデオテープレコーダ１において、周辺の集積回路であるデコーダ４は、この集積回路３から出力されるビデオデータをデータ伸長して出力し、同様の集積回路であるベースバンド処理回路５においては、このデコーダ４の出力データを例えばＮＴＳＣフォーマットによるビデオ信号に変換して出力するようになされている。
【００１５】
しかしながらこのようにしてビデオテープレコーダを構成した場合、特殊再生に係るビデオデータにおいては、エンコーダ１２によりデータ圧縮された後、デコーダ４によりデータ伸長されることにより、これらの処理において、時間遅れを避け得ない。これにより通常の再生によるビデオデータと、これら特殊再生に係るビデオデータとの切り換え等において、タイミングの制御が煩雑になる問題があり、さらには特殊再生時においては、操作の切り換えに対して著しく応答速度が遅くなる問題がある。
【００１６】
本発明は以上の点を考慮してなされたもので、この種のビデオテープレコーダにおいて、通常の再生と特殊再生との切り換え等におけるタイミング制御を簡略化することができ、さらには特殊再生時においても操作の切り換えに対して十分な応答速度を確保することができるビデオテープレコーダを提案しようとするものである。
【００１７】
【課題を解決するための手段】
かかる課題を解決するため請求項１の発明においては、データ圧縮したビデオデータと、このビデオデータの低周波成分による特殊再生用データとが斜め記録された磁気テープを再生するビデオテープレコーダに適用する。請求項１の発明は、ビデオデータのデータ分離回路から出力されるビデオデータをデータ伸長して輝度データ及び色差データの連続によるビデオデータを出力するデータ伸長回路と、特殊再生用データのデータ分離回路で分離された特殊再生用データから、輝度データ及び色差データの連続による特殊再生によるビデオデータを生成するベースバンド化回路と、データ伸長回路、ベースバンド化回路から出力されるビデオデータ、特殊再生によるビデオデータを選択的に出力する第１の選択回路と、ベースバンド化回路から出力される前記ビデオデータをデータ圧縮して出力するエンコーダと、ビデオデータのデータ分離回路から出力されるビデオデータと、エンコーダの出力データとを選択的に出力する第２の選択回路とを備え、少なくとも再生信号処理回路、ビデオデータのデータ分離回路、特殊再生用データのデータ分離回路、エンコーダ、第２の選択回路が集積回路化されてなるようにする。
【００１８】
請求項１の構成によれば、通常のビデオデータにおいては、データ分離回路により再生データから分離された後、データ伸長回路でデータ伸長され、選択回路で選択されて出力される。これに対して特殊再生用データは、データ分離回路で再生データから分離された後、ベースバンド化回路でビデオデータに変換され、このビデオデータが選択回路で選択されて出力される。これによりこのビデオテープレコーダにおいて、特殊再生用データによるビデオデータにおいては、エンコード、デコードの処理が省略され、その分、遅延時間を短くすることができ、これにより通常の再生と特殊再生との切り換え等におけるタイミング制御を簡略化することができ、さらには特殊再生時においても操作の切り換えに対して十分な応答速度を確保することができる。
【００１９】
【発明の実施の形態】
以下、適宜図面を参照しながら本発明の実施の形態を詳述する。
【００２０】
（１）第１の実施の形態
（１−１）第１の実施の形態の構成
図１は、本発明の第１の実施の形態に係るビデオテープレコーダを示すブロック図である。このビデオテープレコーダ２１において、ベースバンド処理回路２２は、外部機器等から入力される例えばＮＴＳＣフォーマットによるビデオ信号Ｓ１を輝度信号及び色差信号に変換した後、アナログディジタル変換処理し、これにより輝度データ及び色差データによるビデオデータＤ１をエンコーダ２３に出力する。これによりビデオテープレコーダ２１は、記録に供するビデオ信号を外部機器より入力するようになされている。
【００２１】
エンコーダ２３は、このベースバンド処理回路２２から出力されるビデオデータＤ１をＭＰＥＧによりデータ圧縮して出力する。
【００２２】
集積回路２４は、このエンコーダ２３から出力されるビデオデータＤ２を磁気テープ２に記録し、またこの磁気テープ２に記録されたビデオデータＤ３を再生して出力する。この処理において、集積回路２４は、記録対象のビデオデータＤ２の低周波成分による特殊再生用データＤＦを生成し、この特殊再生用データＤＦをビデオデータＤ２に介挿して記録する。また特殊再生時、この特殊再生用データＤＦを用いて特殊再生用のビデオデータＤ４を生成して出力する。
【００２３】
すなわち集積回路２４において、Ｉピクチャー分離回路２５は、記録対象のビデオデータＤ２に付加された制御コードを基準にして、このビデオデータＤ２からＩピクチャーの符号化データを対応する制御コードと共に抽出して出力する。
【００２４】
特殊再生用データ生成回路２６は、Ｉピクチャー分離回路２５で分離された符号化データ等を受け、符号化時とは逆に、この符号化データを可変長復号化処理、逆量子化処理する。これにより特殊再生用データ生成回路２６は、ＭＰＥＧの処理におけるＤＣＴ（Discrete Cosaine Transform）係数データを再生する。特殊再生用データ生成回路２６は、この係数データより低次の係数データを選択して出力する。この実施の形態では、この低次の係数としてＤＣ係数が適用されるようになされている。これにより図２に示すように、この実施の形態においては、輝度データＹ０〜Ｙ３については、８×８画素による領域毎に、ＤＣ係数による係数データが検出されるに対し、色差データＣｂ、Ｃｒについては、１６×１６画素による領域毎に、ＤＣ係数による係数データが検出されるようになされている。
【００２５】
データ長調整回路２７は、この特殊再生用データ生成回路２６から出力される係数データのビット長を一定の長さに制限して出力する。
【００２６】
多重化回路２８は、他の信号処理回路より出力されるオーディオデータＳＡ、シンクデータ等による制御信号ＳＣ、記録対象のビデオデータＤ２、データ長調整回路２７から出力される特殊再生用データＤＦを時分割多重化して出力する。
【００２７】
ここで各特殊再生時における磁気ヘッドの走査軌跡との対比により図３に示すように、このビデオテープレコーダ２１においては、４倍速による早送り再生、巻き戻し再生、１６倍速による早送り再生、巻き戻し再生、３２倍速による早送り再生、巻き戻し再生による特殊再生を選択できるように構成され、これらの再生時においては、磁気テープを走行させるキャプスタンモータを磁気テープに記録した基準信号により位相制御して駆動することにより、磁気ヘッドがほぼ同一の箇所を走査するようになされている。ビデオテープレコーダ２１は、このように制御されてなる磁気ヘッドの走査軌跡に、それぞれ特殊再生用データＤＦが記録される。なお図４においては、サーチ用データがそれぞれこの特殊再生用データＤＦであり、＋が早送り再生の場合であり、−が巻き戻し再生の場合である。
【００２８】
多重化回路２８は、これによりこの走査軌跡にそれぞれ対応するように、必要に応じて特殊再生用データＤＦを遅延させ、さらには繰り返しビデオデータ等と多重化し、これにより図３に示す記録パターンにより特殊再生用データＤＦを磁気テープ２に記録するようになされている。
【００２９】
かくするにつき記録フォーマット回路２９は、多重化回路２８の出力データに誤り訂正用符号を生成して付加した後、インターリーブ処理、変調処理し、変調結果により磁気ヘッドを駆動する。これによりこのビデオテープレコーダ２１は、磁気テープ２に順次斜めに記録トラックを形成し、特殊再生用データＤＦを介挿してＭＰＥＧによるビデオデータをこの記録トラックに順次記録するようになされている。
【００３０】
ビデオテープレコーダ２１においては、再生時、この磁気ヘッドより得られる再生信号ＲＦを集積回路２４に入力する。この集積回路２４において、再生フォーマット回路３１は、再生信号ＲＦをビタビ復号回路により処理して再生データを生成する。さらにこの再生データをデインターリーブ処理、誤り訂正処理し、多重化データを出力する。
【００３１】
データ分離回路３２は、この多重化データからオーディオデータＳＡ、制御信号ＳＣを分離して出力し、このビデオテープレコーダ２１においては、このオーディオデータを各種オーディオ機器で利用されている集積回路により処理する。これによりビデオテープレコーダ２１では、再生したオーディオデータを種々に利用することができるようになされている。なお制御信号ＳＣについては、別途、図示しない信号処理回路に出力されて、このビデオテープレコーダ２１の動作基準等に利用する。
【００３２】
データ分離回路３３は、通常の再生時、多重化データよりビデオデータを分離し、これにより再生結果であるＭＰＥＧ方式によりデータ圧縮されてなるビデオデータＤ３を出力する。
【００３３】
データ分離回路３４は、特殊再生時、時分割多重化データより特殊再生用データＤＦを分離して出力する。
【００３４】
ベースバンド化回路３５は、このデータ分離回路３４から出力される特殊再生用データＤＦを１フレーム単位で蓄積した後、前置補間することにより、輝度データ及び色差データによるビデオデータＤ４を生成して出力する。
【００３５】
集積回路２４は、このようにして得られるＭＰＥＧによるビデオデータＤ３と、特殊再生用データＤＦによるビデオデータＤ４とをそれぞれ出力するようになされている。
【００３６】
エンコーダ３６は、この特殊再生用データＤＦによるビデオデータＤ４をＭＰＥＧのフォーマットによりデータ圧縮して出力する。選択回路３７は、標準再生時、データ分離回路３３から出力されるビデオデータＤ３を選択出力するのに対し、特殊再生時、エンコーダ３６から出力されるビデオデータを選択出力する。インターフェース（Ｉ／Ｆ）３９は、ＩＥＥＥ１３９４ (The Institute of Electrical and Electoronics Engineers,Inc.)インターフェースによる入出力回路であり、選択回路３７より出力されるビデオ信号を外部機器に出力するようになされている。
【００３７】
デコーダ４１は、汎用の集積回路により構成され、データ分離回路３３から出力されるビデオ信号をデータ伸長して出力する。ベースバンド処理回路４２は、内蔵の選択回路４２Ａを介して、デコーダ４１から出力されるビデオデータ、ベースバンド化回路３５から出力されるビデオデータＤ４を選択的に入力し、ＮＴＳＣ方式によるビデオ信号に変換して出力する。
【００３８】
（１−２）第１の実施の形態の動作
以上の構成において、このビデオテープレコーダ２１は、記録時、ビデオ信号Ｓ１がベースバンド処理回路２２で輝度データ及び色差データによるビデオデータＤ１に変換された後、このビデオデータＤ１がエンコーダ２３によりデータ圧縮され、ＭＰＥＧによるビデオデータＤ２が生成される。このビデオデータＤ２は、集積回路２４に入力され、この集積回路２４の多重化回路２８において、他のデータと共に多重化処理された後、記録フォーマット回路２９を介して磁気テープ２に順次斜め記録される。
【００３９】
このような処理に加えて、ビデオデータＤ２は、Ｉピクチャー分離回路２５において、Ｉピクチャーの符号化データがその制御コードと共に抽出され、続く特殊再生用データ生成回路２６において、可変長復号化処理、逆量子化処理され、その結果得られる係数データのうち、ＤＣ係数の係数データが選択される。この選択された係数データは、データ長調整回路２７でデータ長が制限され、これによりビデオデータの直流成分による特殊再生用データＤＦが生成される。
【００４０】
この特殊再生用データＤＦは、多重化回路２８において、所定のタイミングでビデオデータＤ２に介挿され、特殊再生時の磁気ヘッドの走査軌跡に記録される（図３）。
【００４１】
ビデオテープレコーダ２１においては、再生時、磁気ヘッドより得られる再生信号ＲＦが再生フォーマット回路３１において処理され、再生データが生成される。通常の再生時、ビデオテープレコーダ２１では、データ分離回路３２でこの再生データからＭＰＥＧによるビデオデータＤ３が分離され、このビデオデータＤ３がデコーダ４１によりデータ伸長された後、ベースバンド処理回路４２によりＮＴＳＣ方式のビデオ信号に変換される。これによりビデオテープレコーダ２１では、再生結果をモニタ装置等でモニタできるようになされている。
【００４２】
これに対して特殊再生時、ビデオテープレコーダ２１では、磁気テープ２に記録された特殊再生用データＤＦを主に走査するように、磁気テープ走行系が制御され、再生フォーマット回路３１から出力される多重化データにおいては、特殊再生用データＤＦが多くを占めるようになる。ビデオテープレコーダ２１では、この多重化データよりデータ分離回路３４で特殊再生用データＤＦが分離された後、ベースバンド化回路で輝度データ及び色差データによるビデオデータＤ４に変換される。さらにこのビデオデータＤ４が、直接、ベースバンド処理回路４２に入力され、ここでデコーダ４１から出力されるビデオデータＤ２に代えて、この特殊再生用データＤＦによるビデオデータＤ４からＮＴＳＣ方式のビデオ信号が生成される。
【００４３】
これによりこのようにしてビデオデータＤ２と切り換えられて外部機器に出力されるビデオデータＤ４においては、ベースバンド化回路３５の出力データが直接ベースバンド処理回路４２に入力され、ベースバンドの段階でビデオデータＤ２と選択されて処理されることにより、図６について上述したように、ビデオデータＤ２との間でフォーマットを統一する処理を省略して、ベースバンド処理することができる。
【００４４】
これによりビデオテープレコーダ２１においては、特殊再生用データＤＦによるビデオデータＤ４については、エンコード、デコードに伴う遅延時間の発生を回避することができ、これにより、特殊再生時においても操作の切り換えに対して十分な応答速度を確保することができる。またビデオデータＤ２の再生である通常の再生と、ビデオデータＤ４の再生である特殊再生との切り換え等においては、ビデオデータＤ４における遅延時間が少ない分、タイミング制御を簡略化することができる。
【００４５】
（１−３）第１の実施の形態の効果
以上の構成によれば、データ圧縮したビデオデータと、このビデオデータの低周波成分による特殊再生用データとを記録した磁気テープを再生する際に、データ圧縮したビデオデータによる再生結果と、特殊再生用データによる再生結果とを、ベースバンド処理の段階で選択することにより、通常の再生と特殊再生との切り換え等におけるタイミング制御を簡略化することができ、さらには特殊再生時においても操作の切り換えに対して十分な応答速度を確保することができる。
【００４６】
特に、このデータ圧縮したビデオデータが、直交変換によりデータ圧縮されたビデオデータであり、このビデオデータのフレーム内符号化処理にかかる直交変換の係数データのうちの、低次の係数データにより特殊再生用データを生成することにより、さらにこのデータ圧縮したビデオデータが、ＭＰＥＧによりデータ圧縮されたビデオデータであり、ＩピクチャーにおけるＤＣＴ係数のうちの、ＤＣ係数により特殊再生用データを生成することにより、データ圧縮の処理を有効に利用して特殊再生用データを生成することができる。
【００４７】
（２）第２の実施の形態
図５は、本発明の第２の実施の形態に係るビデオテープレコーダの再生系を示すブロック図である。このビデオテープレコーダ５１において、図１について上述したビデオテープレコーダ２１と同一の構成は、対応する符号を付して示し、重複した説明は省略する。
【００４８】
この実施の形態においては、集積回路５４により再生信号ＲＦを信号処理してビデオデータＤ３、特殊再生用データＤＦを再生し、特殊再生用データＤＦについては、ビデオデータＤ４に変換する。またこれらのビデオデータＤ３及びＤ４をＩＥＥＥ１３９４によるインターフェース３９を介して選択的に出力する。
【００４９】
この集積回路５４において、データ圧縮回路５５は、データ分離回路３２で分離された特殊再生用データＤＦを入力し、この特殊再生用データＤＦを１フレーム単位で蓄積する。さらにデータ圧縮回路５５は、この１フレーム単位でまとめられた特殊再生用データのビット数を低減することによりデータ圧縮し、このデータ圧縮した特殊再生用データＤＦ１を図５に示すように、ＭＰＥＧによるデコード順に出力する。なおここで図５（Ａ）は、フレーム周期の基準信号であるフレームパルスＦＰであり、特殊再生用データＤＦ１においては、このフレームパルスＦＰ周期で１フレーム分が出力される（図５（Ｂ））。なおデータ圧縮回路５５は、フレームパルスＦＰが立ち上がった後、イネーブルフラグＥＦが立ち上がると、７ビットの期間によるドントケアの期間の経過を待って、ＭＰＥＧによるデコード順にこれら特殊再生用データＤＦ１を順次出力する（図５（Ｃ）及び（Ｄ））。
【００５０】
ベースバンド処理回路５６は、この１ビットによる特殊再生用データＤＦ１をベースバンド化回路５６Ｂに入力し、ここでパラレルデータに変換した後、水平方向、垂直方向に前置補間することにより、輝度データ及び色差データによるビデオデータを生成する。ベースバンド処理回路５６は、このようにして生成したビデオデータと、デコーダ４１より出力されるビデオデータとを、動作モードに応じて選択回路５６Ａにより選択し、ＮＴＳＣ方式のビデオ信号Ｓ２に変換して出力する。
【００５１】
図４の構成によれば、シリアルデータにより特殊再生用データを伝送することにより、第１の実施の形態の構成による効果に加えて、集積回路５４のピン数を少なくすることができる。
【００５２】
また特殊再生用データをデータ圧縮して伝送することにより、シリアル伝送におけるレートの増大を防止することができる。
【００５３】
（３）他の実施の形態
なお上述の実施の形態においては、ＩピクチャーのＤＣＴ係数のうち、ＤＣ係数より特殊再生用データを生成する場合について述べたが、本発明はこれに限らず、必要に応じてＤＣ係数に加えて１次の係数により特殊再生用データを生成する場合等、要は低次の係数により特殊再生用データを生成する場合に広く適用することができる。
【００５４】
また上述の実施の形態においては、直交変換のうちＤＣＴ変換を採用してなるＭＰＥＧによりデータ圧縮したビデオデータを記録する場合について述べたが、本発明はこれに限らず、ＤＣＴ変換に代えて、ハール変換の直交変換を採用してなるデータ圧縮方式でデータ圧縮する場合等に広く適用することができる。
【００５５】
また上述の実施の形態においては、外部機器より入力されるビデオ信号を磁気テープに記録する場合について述べたが、本発明はこれに限らず、撮像手段と一体に構成される場合等にも広く適用することができる。
【００５６】
【発明の効果】
上述のように本発明によれば、データ圧縮したビデオデータと、このビデオデータの低周波成分による特殊再生用データとを記録した磁気テープを再生する際に、データ圧縮したビデオデータによる再生結果と、特殊再生用データによる再生結果とを、ベースバンド処理の段階で選択することにより、通常の再生と特殊再生との切り換え等におけるタイミング制御を簡略化することができ、さらには特殊再生時においても操作の切り換えに対して十分な応答速度を確保することができる。
【図面の簡単な説明】
【図１】本発明の第１の実施の形態に係るビデオテープレコーダを示すブロック図である。
【図２】図１の特殊再生用データの説明に供する図表である。
【図３】図１のビデオテープレコーダによる記録フォーマットの説明に供する図表である。
【図４】本発明の第２の実施の形態に係るビデオテープレコーダを示すブロック図である。
【図５】図４のビデオテープレコーダにおける動作の説明に供するタイムチャートである。
【図６】従来のビデオテープレコーダを示すブロック図である。
【符号の説明】
１、２１、５１……ビデオテープレコーダ、２……磁気テープ、３、２４、５４……集積回路、４、４１……デコーダ、５、４２……ベースバンド処理回路、７、３１……再生フォーマット回路、８〜１０、３２〜３４……データ分離回路、１１、３５、５６Ｂ……ベースバンド化回路、１２、２３、３６……エンコーダ、５５……データ圧縮回路
【図１】
0003994786.tif 000002
【図２】
0003994786.tif 000003
【図３】
0003994786.tif 000004
【図４】
0003994786.tif 000005
【図５】
0003994786.tif 000006
【図６】
0003994786.tif 000007